(57)【要約】【課題】被帯電体を帯電させる帯電部材に供給される交流電流の適正な振幅を短時間に精度よく設定する。【解決手段】振幅が異なる４つの交流電流Ｉａｃ１ａ〜４ａに対し、帯電情報検出部は、帯電部材が２回転する間に順次に、帯電部材の位置ｘ、位置ｙが像保持体に接触する時機に、Ｉａｃ１ａ〜４ａに対する差分電荷量ΔＱ（１ａ〜４ａ）を検出する。｜傾き１３ａ｜及び｜傾き２４ａ｜がいずれも｜ｍ１｜以下であるため、振幅設定部９８は、交流電源が出力する新たな交流電流Ｉａｃ１ｂ〜４ｂの振幅がそれぞれ交流電流Ｉａｃ４ａよりも大きくなるように設定する。｜傾き２４ｂ｜は、｜ｍ２｜以上になっているが、｜傾き１３ｂ｜は、｜ｍ１｜よりも大きく、且つ｜ｍ２｜よりも小さくなっている。振幅設定部９８は、傾き１３ｂに対応する交流電流Ｉａｃの平均値をＩａｃの適正値として、Ｉａｃを設定する振幅設定信号を振幅変更部１００に対して設定する。【選択図】図６
2008139546.tif 000002
【特許請求の範囲】
【請求項１】
回転する被帯電体に接触しつつ回転して被帯電体を帯電させる帯電部材に対し、直流電流に重畳して供給される交流電流の振幅を変更可能な振幅変更部と、この振幅変更部が振幅を変更した交流電流が流れる帯電部材の帯電量に対応する帯電情報を検出する帯電情報検出部と、この帯電情報検出部が検出した帯電情報に基づいて、交流電流の振幅を設定する振幅設定部とを有し、前記帯電情報検出部は、被帯電体又は帯電部材の回転周期に対する複数の所定の時機に帯電情報を検出する帯電制御装置。
【請求項２】
前記振幅設定部は、被帯電体又は帯電部材の回転周期に対する時機ごとに、前記帯電情報検出部が検出した帯電情報の変化量を交流電流の変化に対して算出する変化量算出部を有し、この変化量算出部が算出した変化量に応じて交流電流の振幅を設定する請求項１記載の帯電制御装置。
【請求項３】
前記変化量算出部は、被帯電体又は帯電部材の回転周期に対する時機ごとに、前記帯電情報検出部が連続して検出した２つの帯電情報を単位として変化量を算出する請求項２記載の帯電制御装置。
【請求項４】
前記振幅設定部は、所定の振幅の交流電流が流れる帯電部材の帯電量に対応する帯電情報を前記帯電情報検出部が複数の所定の時機に検出した結果に基づいて、前記帯電情報検出部が検出する帯電情報を補正する補正部と、この補正部が補正した帯電情報の変化量を交流電流の変化に対して算出する変化量算出部とを有し、この変化量算出部が算出した変化量に応じて交流電流の振幅を設定する請求項１記載の帯電制御装置。
【請求項５】
前記変化量算出部は、前記帯電情報検出部が連続して検出した２つの帯電情報を単位として変化量を算出する請求項４記載の帯電制御装置。
【請求項６】
前記振幅設定部は、前記変化量算出部が算出する変化量が所定の範囲内にあるか否かを判定する判定部を有し、この判定部の判定結果に応じて交流電流の振幅を設定する請求項２乃至５いずれか記載の帯電制御装置。
【請求項７】
前記判定部は、帯電情報の変化量の最大値と最小値との平均を中心とする所定の範囲内に、前記変化量算出部が算出する変化量があるか否かを判定する請求項６記載の帯電制御装置。
【請求項８】
前記帯電情報検出部は、帯電部材に流れる電流の直流成分、交流成分、又は、被帯電体と帯電部材との間で流れる放電電流、若しくは、被帯電体の表面電位に基づく情報を帯電情報として検出する請求項１乃至７いずれか記載の帯電制御装置。
【請求項９】
回転する被帯電体に接触しつつ回転して被帯電体を帯電させる帯電部材と、この帯電部材に対し、直流電流に重畳して供給される交流電流の振幅を変更可能な振幅変更部と、この振幅変更部が振幅を変更した交流電流が流れる前記帯電部材の帯電量に対応する帯電情報を検出する帯電情報検出部と、この帯電情報検出部が検出した帯電情報に基づいて、交流電流の振幅を設定する振幅設定部とを有し、前記帯電情報検出部は、被帯電体又は前記帯電部材の回転周期に対する複数の所定の時機に帯電情報を検出する帯電装置。
【請求項１０】
前記振幅設定部は、被帯電体又は前記帯電部材の回転周期に対する時機ごとに、前記帯電情報検出部が検出した帯電情報の変化量を交流電流の変化に対して算出する変化量算出部を有し、この変化量算出部が算出した変化量に応じて交流電流の振幅を設定する請求項９記載の帯電装置。
【請求項１１】
前記変化量算出部は、被帯電体又は前記帯電部材の回転周期に対する時機ごとに、前記帯電情報検出部が連続して検出した２つの帯電情報を単位として変化量を算出する請求項１０記載の帯電装置。
【請求項１２】
前記振幅設定部は、所定の振幅の交流電流が流れる前記帯電部材の帯電量に対応する帯電情報を前記帯電情報検出部が複数の所定の時機に検出した結果に基づいて、前記帯電情報検出部が検出する帯電情報を補正する補正部と、この補正部が補正した帯電情報の変化量を交流電流の変化に対して算出する変化量算出部とを有し、この変化量算出部が算出した変化量に応じて交流電流の振幅を設定する請求項９記載の帯電装置。
【請求項１３】
前記変化量算出部は、前記帯電情報検出部が連続して検出した２つの帯電情報を単位として変化量を算出する請求項１２記載の帯電装置。
【請求項１４】
前記振幅設定部は、前記変化量算出部が算出する変化量が所定の範囲内にあるか否かを判定する判定部を有し、この判定部の判定結果に応じて交流電流の振幅を設定する請求項１０乃至１３いずれか記載の帯電装置。
【請求項１５】
前記判定部は、帯電情報の変化量の最大値と最小値との平均を中心とする所定の範囲内に、前記変化量算出部が算出する変化量があるか否かを判定する請求項１４記載の帯電装置。
【請求項１６】
前記帯電情報検出部は、前記帯電部材に流れる電流の直流成分、交流成分、又は、被帯電体と前記帯電部材との間で流れる放電電流、若しくは、被帯電体の表面電位に基づく情報を帯電情報として検出する請求項９乃至１５いずれか記載の帯電装置。
【請求項１７】
回転する像保持体と、この像保持体に接触しつつ回転して前記像保持体を帯電させる帯電部材と、この帯電部材に対し、直流電流に重畳した交流電流を供給する給電部と、この給電部が前記帯電部材に供給する交流電流の振幅を変更可能な振幅変更部と、この振幅変更部が振幅を変更した交流電流が流れる前記帯電部材の帯電量に対応する帯電情報を検出する帯電情報検出部と、この帯電情報検出部が検出した帯電情報に基づいて、交流電流の振幅を設定する振幅設定部とを有し、前記帯電情報検出部は、被帯電体又は前記帯電部材の回転周期に対する複数の所定の時機に帯電情報を検出する画像形成装置。
【請求項１８】
前記振幅設定部は、被帯電体又は前記帯電部材の回転周期に対する時機ごとに、前記帯電情報検出部が検出した帯電情報の変化量を交流電流の変化に対して算出する変化量算出部を有し、この変化量算出部が算出した変化量に応じて交流電流の振幅を設定する請求項１７記載の画像形成装置。
【請求項１９】
前記変化量算出部は、被帯電体又は前記帯電部材の回転周期に対する時機ごとに、前記帯電情報検出部が連続して検出した２つの帯電情報を単位として変化量を算出する請求項１８記載の画像形成装置。
【請求項２０】
前記振幅設定部は、所定の振幅の交流電流が流れる前記帯電部材の帯電量に対応する帯電情報を前記帯電情報検出部が複数の所定の時機に検出した結果に基づいて、前記帯電情報検出部が検出する帯電情報を補正する補正部と、この補正部が補正した帯電情報の変化量を交流電流の変化に対して算出する変化量算出部とを有し、この変化量算出部が算出した変化量に応じて交流電流の振幅を設定する請求項１７記載の画像形成装置。
【請求項２１】
前記変化量算出部は、前記帯電情報検出部が連続して検出した２つの帯電情報を単位として変化量を算出する請求項２０記載の画像形成装置。
【請求項２２】
前記振幅設定部は、前記変化量算出部が算出する変化量が所定の範囲内にあるか否かを判定する判定部を有し、この判定部の判定結果に応じて交流電流の振幅を設定する請求項１８乃至２１いずれか記載の画像形成装置。
【請求項２３】
前記判定部は、帯電情報の変化量の最大値と最小値との平均を中心とする所定の範囲内に、前記変化量算出部が算出する変化量があるか否かを判定する請求項２２記載の画像形成装置。
【請求項２４】
前記帯電情報検出部は、前記帯電部材に流れる電流の直流成分、交流成分、又は、被帯電体と前記帯電部材との間で流れる放電電流、若しくは、被帯電体の表面電位に基づく情報を帯電情報として検出する請求項１７乃至２３いずれか記載の画像形成装置。
【請求項２５】
回転する被帯電体に接触しつつ回転して被帯電体を帯電させる帯電部材に対し、直流電流に重畳して供給される交流電流の振幅を変更するステップと、振幅を変更した交流電流が流れる帯電部材の帯電量に対応する帯電情報を、被帯電体又は帯電部材の回転周期に対する複数の所定の時機に検出するステップと、検出した帯電情報に基づいて交流電流の振幅を設定するステップとをコンピュータに実行させる帯電制御プログラム。
【発明の詳細な説明】
【技術分野】
【０００１】
本発明は、帯電制御装置、帯電装置、画像形成装置及び帯電制御プログラムに関するものである。
【背景技術】
【０００２】
特許文献１は、帯電ローラが１周回転する時間の整数倍の間に、帯電ローラに流れる電流を測定し、測定した電流の時間平均値を算出して、帯電ローラへの印加電圧の大きさを電流の時間平均値に基づいて変更する帯電装置を開示する。また、特許文献２は、ＤＣ電流値が飽和したＡＣ電流のポイントに対して所定の比率を乗じることにより、感光体を帯電させる帯電バイアスを決定する画像形成装置を開示する。また、特許文献３は、非画像形成時に帯電部材に所定の交流電圧と直流電圧とを重畳してなる検知バイアスを印加し、その時に流れる直流電流成分を検出し、その値に応じて画像形成時に必要最低限となるような交流電流と適切な直流電圧を印加する画像形成装置を開示する。
【０００３】
【特許文献１】特許第３３６９３３８号
【特許文献２】特開２００４−３３３７８９号公報
【特許文献３】特許第３２７９１５２号
【発明の開示】
【発明が解決しようとする課題】
【０００４】
しかしながら、上記従来例においては、像保持体を帯電させるために適正な交流電流を精度よく特定することと、短時間に特定することとを両立することができないという問題があった。
【０００５】
本発明は、被帯電体を帯電させる帯電部材に供給される交流電流の適正な振幅を短時間に精度よく設定することができる帯電制御装置、帯電装置、画像形成装置及び帯電制御プログラムを提供することを目的とする。
【課題を解決するための手段】
【０００６】
上記目的を達成するため、請求項１に係る本発明は、回転する被帯電体に接触しつつ回転して被帯電体を帯電させる帯電部材に対し、直流電流に重畳して供給される交流電流の振幅を変更可能な振幅変更部と、この振幅変更部が振幅を変更した交流電流が流れる帯電部材の帯電量に対応する帯電情報を検出する帯電情報検出部と、この帯電情報検出部が検出した帯電情報に基づいて、交流電流の振幅を設定する振幅設定部とを有し、前記帯電情報検出部は、被帯電体又は帯電部材の回転周期に対する複数の所定の時機に帯電情報を検出する帯電制御装置である。
【０００７】
請求項２に係る本発明は、前記振幅設定部は、被帯電体又は帯電部材の回転周期に対する時機ごとに、前記帯電情報検出部が検出した帯電情報の変化量を交流電流の変化に対して算出する変化量算出部を有し、この変化量算出部が算出した変化量に応じて交流電流の振幅を設定する請求項１記載の帯電制御装置である。
【０００８】
請求項３に係る本発明は、前記変化量算出部は、被帯電体又は帯電部材の回転周期に対する時機ごとに、前記帯電情報検出部が連続して検出した２つの帯電情報を単位として変化量を算出する請求項２記載の帯電制御装置である。
【０００９】
請求項４に係る本発明は、前記振幅設定部は、所定の振幅の交流電流が流れる帯電部材の帯電量に対応する帯電情報を前記帯電情報検出部が複数の所定の時機に検出した結果に基づいて、前記帯電情報検出部が検出する帯電情報を補正する補正部と、この補正部が補正した帯電情報の変化量を交流電流の変化に対して算出する変化量算出部とを有し、この変化量算出部が算出した変化量に応じて交流電流の振幅を設定する請求項１記載の帯電制御装置である。
【００１０】
請求項５に係る本発明は、前記変化量算出部は、前記帯電情報検出部が連続して検出した２つの帯電情報を単位として変化量を算出する請求項４記載の帯電制御装置である。
【００１１】
請求項６に係る本発明は、前記振幅設定部は、前記変化量算出部が算出する変化量が所定の範囲内にあるか否かを判定する判定部を有し、この判定部の判定結果に応じて交流電流の振幅を設定する請求項２乃至５いずれか記載の帯電制御装置である。
【００１２】
請求項７に係る本発明は、前記判定部は、帯電情報の変化量の最大値と最小値との平均を中心とする所定の範囲内に、前記変化量算出部が算出する変化量があるか否かを判定する請求項６記載の帯電制御装置である。
【００１３】
請求項８に係る本発明は、前記帯電情報検出部は、帯電部材に流れる電流の直流成分、交流成分、又は、被帯電体と帯電部材との間で流れる放電電流、若しくは、被帯電体の表面電位に基づく情報を帯電情報として検出する請求項１乃至７いずれか記載の帯電制御装置である。
【００１４】
請求項９に係る本発明は、回転する被帯電体に接触しつつ回転して被帯電体を帯電させる帯電部材と、この帯電部材に対し、直流電流に重畳して供給される交流電流の振幅を変更可能な振幅変更部と、この振幅変更部が振幅を変更した交流電流が流れる前記帯電部材の帯電量に対応する帯電情報を検出する帯電情報検出部と、この帯電情報検出部が検出した帯電情報に基づいて、交流電流の振幅を設定する振幅設定部とを有し、前記帯電情報検出部は、被帯電体又は前記帯電部材の回転周期に対する複数の所定の時機に帯電情報を検出する帯電装置である。
【００１５】
請求項１０に係る本発明は、前記振幅設定部は、被帯電体又は前記帯電部材の回転周期に対する時機ごとに、前記帯電情報検出部が検出した帯電情報の変化量を交流電流の変化に対して算出する変化量算出部を有し、この変化量算出部が算出した変化量に応じて交流電流の振幅を設定する請求項９記載の帯電装置である。
【００１６】
請求項１１に係る本発明は、前記変化量算出部は、被帯電体又は前記帯電部材の回転周期に対する時機ごとに、前記帯電情報検出部が連続して検出した２つの帯電情報を単位として変化量を算出する請求項１０記載の帯電装置である。
【００１７】
請求項１２に係る本発明は、前記振幅設定部は、所定の振幅の交流電流が流れる前記帯電部材の帯電量に対応する帯電情報を前記帯電情報検出部が複数の所定の時機に検出した結果に基づいて、前記帯電情報検出部が検出する帯電情報を補正する補正部と、この補正部が補正した帯電情報の変化量を交流電流の変化に対して算出する変化量算出部とを有し、この変化量算出部が算出した変化量に応じて交流電流の振幅を設定する請求項９記載の帯電装置である。
【００１８】
請求項１３に係る本発明は、前記変化量算出部は、前記帯電情報検出部が連続して検出した２つの帯電情報を単位として変化量を算出する請求項１２記載の帯電装置である。
【００１９】
請求項１４に係る本発明は、前記振幅設定部は、前記変化量算出部が算出する変化量が所定の範囲内にあるか否かを判定する判定部を有し、この判定部の判定結果に応じて交流電流の振幅を設定する請求項１０乃至１３いずれか記載の帯電装置である。
【００２０】
請求項１５に係る本発明は、前記判定部は、帯電情報の変化量の最大値と最小値との平均を中心とする所定の範囲内に、前記変化量算出部が算出する変化量があるか否かを判定する請求項１４記載の帯電装置である。
【００２１】
請求項１６に係る本発明は、前記帯電情報検出部は、前記帯電部材に流れる電流の直流成分、交流成分、又は、被帯電体と前記帯電部材との間で流れる放電電流、若しくは、被帯電体の表面電位に基づく情報を帯電情報として検出する請求項９乃至１５いずれか記載の帯電装置である。
【００２２】
請求項１７に係る本発明は、回転する像保持体と、この像保持体に接触しつつ回転して前記像保持体を帯電させる帯電部材と、この帯電部材に対し、直流電流に重畳した交流電流を供給する給電部と、この給電部が前記帯電部材に供給する交流電流の振幅を変更可能な振幅変更部と、この振幅変更部が振幅を変更した交流電流が流れる前記帯電部材の帯電量に対応する帯電情報を検出する帯電情報検出部と、この帯電情報検出部が検出した帯電情報に基づいて、交流電流の振幅を設定する振幅設定部とを有し、前記帯電情報検出部は、被帯電体又は前記帯電部材の回転周期に対する複数の所定の時機に帯電情報を検出する画像形成装置である。
【００２３】
請求項１８に係る本発明は、前記振幅設定部は、被帯電体又は前記帯電部材の回転周期に対する時機ごとに、前記帯電情報検出部が検出した帯電情報の変化量を交流電流の変化に対して算出する変化量算出部を有し、この変化量算出部が算出した変化量に応じて交流電流の振幅を設定する請求項１７記載の画像形成装置である。
【００２４】
請求項１９に係る本発明は、前記変化量算出部は、被帯電体又は前記帯電部材の回転周期に対する時機ごとに、前記帯電情報検出部が連続して検出した２つの帯電情報を単位として変化量を算出する請求項１８記載の画像形成装置である。
【００２５】
請求項２０に係る本発明は、前記振幅設定部は、所定の振幅の交流電流が流れる前記帯電部材の帯電量に対応する帯電情報を前記帯電情報検出部が複数の所定の時機に検出した結果に基づいて、前記帯電情報検出部が検出する帯電情報を補正する補正部と、この補正部が補正した帯電情報の変化量を交流電流の変化に対して算出する変化量算出部とを有し、この変化量算出部が算出した変化量に応じて交流電流の振幅を設定する請求項１７記載の画像形成装置である。
【００２６】
請求項２１に係る本発明は、前記変化量算出部は、前記帯電情報検出部が連続して検出した２つの帯電情報を単位として変化量を算出する請求項２０記載の画像形成装置である。
【００２７】
請求項２２に係る本発明は、前記振幅設定部は、前記変化量算出部が算出する変化量が所定の範囲内にあるか否かを判定する判定部を有し、この判定部の判定結果に応じて交流電流の振幅を設定する請求項１８乃至２１いずれか記載の画像形成装置である。
【００２８】
請求項２３に係る本発明は、前記判定部は、帯電情報の変化量の最大値と最小値との平均を中心とする所定の範囲内に、前記変化量算出部が算出する変化量があるか否かを判定する請求項２２記載の画像形成装置である。
【００２９】
請求項２４に係る本発明は、前記帯電情報検出部は、前記帯電部材に流れる電流の直流成分、交流成分、又は、被帯電体と前記帯電部材との間で流れる放電電流、若しくは、被帯電体の表面電位に基づく情報を帯電情報として検出する請求項１７乃至２３いずれか記載の画像形成装置である。
【００３０】
請求項２５に係る本発明は、回転する被帯電体に接触しつつ回転して被帯電体を帯電させる帯電部材に対し、直流電流に重畳して供給される交流電流の振幅を変更するステップと、振幅を変更した交流電流が流れる帯電部材の帯電量に対応する帯電情報を、被帯電体又は帯電部材の回転周期に対する複数の所定の時機に検出するステップと、検出した帯電情報に基づいて交流電流の振幅を設定するステップとをコンピュータに実行させる帯電制御プログラムである。
【発明の効果】
【００３１】
本発明によれば、被帯電体を帯電させる帯電部材に供給される交流電流の適正な振幅を短時間に精度よく設定することができる。
【発明を実施するための最良の形態】
【００３２】
次に本発明の実施形態を図面に基づいて説明する。
図１及び図２において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８ａ，１８ｂが配置されている。さらに、画像形成装置本体１２の下方には、オプションとして着脱装着される２段の給紙ユニット１８ｃ，１８ｄが配置されている。
【００３３】
それぞれの給紙ユニット１８ａ〜１８ｄは、給紙ユニット本体２０と、用紙が収納される給紙カセット２２とを有する。給紙カセット２２は、給紙ユニット本体２０に対して摺動自在に装着され、正面方向（図１の右方向）に引き出される。また、給紙カセット２２の奥端近傍上部には給紙ロール２４が配置され、この給紙ロール２４の前方にリタードロール２６及びフィードロール２８が配置されている。さらにオプションの給紙ユニット１８ｃ，１８ｄには、それぞれ対をなす送りロール３０が設けられている。
【００３４】
搬送路３２は、最下端の給紙ユニット１８ｄの送りロール３０から排出口３４までの用紙通路であり、この搬送路３２は、画像形成装置本体１２の裏面（図１の左側面）近傍にあって、最下端の給紙ユニット１８ｄの送りロール３０から後述する定着装置３６まで略垂直に形成されている部分を有する。この搬送路３２の定着装置３６の上流側に後述する転写装置４２と像保持体４４が配置され、さらに転写装置４２と像保持体４４の上流側にレジストロール３８が配置されている。さらに、搬送路３２の排出口３４の近傍には排出ロール４０が配置されている。
【００３５】
したがって、給紙ユニット１８ａ〜１８ｄの給紙カセット２２から送りロール２４により送り出された用紙は、リタードロール２６びフィードロール２８により捌かれて搬送路３２に導かれ、レジストロール３８により一次停止され、タイミングをとって後述する転写装置４２と像保持体４４との間を通って現像剤像が転写され、この転写された現像剤像が定着装置３６により定着され、排出ロール４０により排出口３４から排出部１６へ排出される。
【００３６】
ただし、両面印刷の場合は、反転路に戻される。即ち、搬送路３０の排出ロール４０の手前は２股に別れ、その分かれた部分に切換爪４６が設けられていると共に、分かれた部分からレジストロール３８まで戻る反転路４８が形成されている。この反転路４８には搬送ロール５０ａ〜５０ｃが設けられており、両面印刷の場合には、切換爪４６が反転路４８を開く側に切り換えられ、排出ロール４０に用紙の後端手前がかかる時点で排出ロール４０が反転し、用紙が反転路４８に導かれ、レジストロール３８、転写装置４２と像保持体４４及び定着装置３６を通って排出口３４から排出部１６へ排出されるものである。
【００３７】
排出部１６は、画像形成装置本体に対して回動自在の傾斜部５２を有する。この傾斜部５２は、排出口部分が低く、正面方向（図１の右方向）に向けて徐々に高くなるよう傾斜しており、排出口部分を下端とし、高くなった先端を上端としている。この傾斜部５２は下端を中心に回動自在であるよう画像形成装置本体１２に支持されている。図１で２点鎖線で示すように、傾斜部５２を上方に回転して開いたときには、開放部５４が形成され、この開放部５４を介して後述するプロセスカートリッジ６４が脱着できるようにしてある。
【００３８】
像形成手段１４は、例えば電子写真方式のもので、像保持体４４と、この像保持体４４を圧接によって一様帯電させる帯電部材５６と、この帯電部材５６により帯電された像保持体４４に、光により潜像を書き込む光書込み装置５８と、この光書込み装置５８により形成された像保持体４４の潜像を現像剤により可視化する現像装置６０と、この現像装置６０による現像剤像を用紙に転写する例えば転写ロールからなる転写装置４２と、像保持体４４に残存する現像剤をクリーニングする例えばブレードからなるクリーニング装置６２と、転写装置４２により転写された用紙上の現像剤像を用紙に定着させる例えば加圧ロールと加熱ロールとからなる定着装置３６とから構成されている。
【００３９】
像保持体４４は、例えば直径が３０ｍｍである筒状の感光体からなり、図示しないモータによって回転駆動されている。帯電部材５６は、例えば直径が１２ｍｍである筒状の帯電ロールからなり、像保持体４４の回転に従動して、例えば３００ｍＳの周期で回転する。光書込み装置５８は例えば走査型のレーザ露光装置からなり、前述した給紙ユニット１８ａ〜１８ｄと平行で画像形成装置本体１２の正面近傍に配置され、現像装置６０内を横切って像保持体４４を露光する。この像保持体４４の露光位置が潜像書込み位置Ｐとなる。なお、この実施形態においては、光書込み装置５８として走査型のレーザ露光装置を用いたが、他の実施形態としてＬＥＤや面発光レーザ等を用いることができる。
【００４０】
プロセスカートリッジ６４は、像保持体４４、帯電部材５６、現像装置６０及びクリーニング装置６２を一体化したものである。このプロセスカートリッジ６４は、排出部１６の傾斜部５２の直近下方に配置されており、前述したように、傾斜部５２を開いたときに形成される開放部５４を介してを脱着される。
【００４１】
また、画像形成装置１０は、制御ユット６６、表示装置及びキーボードなどを含むユーザインタフェース装置（ＵＩ装置）６８、ＨＤＤ・ＣＤ装置などの記憶装置７０及び通信装置７２などを有する。制御ユニット６６は、ＣＰＵ７４及びメモリ７６などを含み、画像形成装置１０を構成する各部を制御する。
つまり、画像形成装置１０は、コンピュータとしての機能を含み、記憶媒体７８又は通信装置７２を介して受け入れたプログラムを実行することにより、印刷などの処理を行う。
【００４２】
次に、帯電部材５６と、この帯電部材５６に高電圧を印加する高圧給電部８０と、この高圧給電部８０が帯電部材５６に供給する電流を制御する帯電制御装置８４とについて詳述する。
図３において、帯電部材５６、高圧給電部８０、電流検出部８２及び帯電制御装置８４の詳細が示されている。
【００４３】
高圧給電部８０は、交流電源８６及び直流電源８８を有し、帯電部材５６に対して所定の電圧を印加して、直流成分及び交流成分を重畳した電流を帯電部材５６に供給する。例えば、交流電源８６は、１０００Ｈｚの周波数でピーク間電圧Ｖｐｐが１０００〜２５００Ｖ程度の電圧を帯電部材５６に対して印加し、約１〜２ｍＡ程度の交流電流Ｉａｃを後述する振幅変更部１００から入力される振幅変更信号に応じて帯電部材５６に供給するようにされている。つまり、交流電源８６は、帯電部材５６に供給する交流電流Ｉａｃの振幅が振幅変更部１００によって制御されている。
【００４４】
電流検出部８２は、高圧給電部８０が帯電部材５６に対して供給する電流を検出し、帯電制御装置８４の後述するＬＰＦ９０に対して出力する。
【００４５】
帯電制御装置８４は、例えばＬＰＦ９０、Ａ／Ｄ変換器９２、帯電情報検出部９４、メモリ９６、振幅設定部９８、振幅変更部１００及び時機検出部１０２を有し、制御ユニット６６の一部を構成する。
ＬＰＦ９０は、電流検出部８２が出力する電流を受け入れ、高圧給電部８０が帯電部材５６に対して供給する交流電流Ｉａｃを積分する積分手段であり、積分結果（電荷量）をＡ／Ｄ変換器９２に対して出力する。
【００４６】
Ａ／Ｄ変換器９２は、ＬＰＦ９０から入力される積分結果をＡ／Ｄ変換し、離散値化した積分結果を帯電情報検出部９４に対して出力する。
【００４７】
帯電情報検出部９４は、例えばＣＰＵ７４によって実行されるプログラムとして構成され、Ａ／Ｄ変換器９２が出力する離散値化された結果を受け入れ、後述する時機検出部１０２が出力する時機情報を受け入れて、帯電部材５６の帯電量に対応する帯電情報を時機情報に対応付けて検出し、帯電情報、時機情報及び交流電流Ｉａｃの値を組にしたデータを、後述するメモリ９６に記憶させる。ここで、電流検出部８２が出力する交流電流Ｉａｃに対し、帯電部材５６と像保持体４４との間で生じる放電によって流れる放電電流が付加される場合、交流電流Ｉａｃは、図４（Ａ）に示すように＋側の放電電流と、−側の放電電流とによって歪んでいる。例えば、帯電情報検出部９４は、図４（Ｂ）に例示したＬＰＦ９０が出力する積分結果（電荷量）をＡ／Ｄ変換器９２を介して受け入れ、図４（Ａ）に示した＋側の放電電流の積分値（＋Ｑ）と−側の放電電流の積分値（−Ｑ）とを算出した後に、差分電荷量ΔＱを下式１により算出し、算出した差分電荷量ΔＱを検出した帯電情報として、メモリ９６に対して出力する。なお、帯電情報検出部９４は、−側の放電電流の積分値（−Ｑ）を帯電情報として出力するようにされてもよい。
【００４８】
差分電荷量ΔＱ＝｜＋Ｑ｜−｜−Ｑ｜        ・・・（１）
【００４９】
メモリ９６は、例えば書き込み可能な不揮発性メモリ（ＮＶＭ：Non Volatile Memory）であり、図２に示したメモリ７６の一部を構成する。また、メモリ９６は、ＣＰＵ７４の制御により、帯電情報検出部９４及び振幅設定部９８のいずれからもアクセスできるようにされており、帯電情報検出部９４から入力される複数の帯電情報（時機情報に対応付けられている）、及び予め実験に基づいて決められた傾きｍ１、ｍ２などの設定値をそれぞれ記憶するようにされている。
【００５０】
例えば、傾きｍ１、ｍ２は、予め実験により求められた交流電流Ｉａｃの変化に対する差分電荷量ΔＱの変化量において、絶対値が最小となる傾きをＭ１とし、絶対値が最大となる傾きをＭ２とすると、下式２，３の関係を満たすように決められている。
【００５１】
｜Ｍ１｜≦｜ｍ１｜＜｜目標とする傾き｜＜｜ｍ２｜≦｜Ｍ２｜    ・・・（２）
【００５２】
（｜Ｍ１｜＋｜Ｍ２｜）÷２＝｜目標とする傾きの平均値｜        ・・・（３）
【００５３】
振幅設定部９８（図３）は、例えばＣＰＵ７４によって実行されるプログラムとして構成され、変化量算出部１０４及び判定部１０６を有し、メモリ９６にアクセスして、振幅変更部１００に対して振幅を設定する振幅設定信号を出力する。
変化量算出部１０４は、メモリ９６が記憶する複数の差分電荷量ΔＱ、時機情報及び交流電流Ｉａｃの値を組にしたデータを受け入れ、後述する交流電流Ｉａｃの変化に対する差分電荷量ΔＱの変化量（傾き）を、帯電部材５６の外面上の所定の位置ｘ、ｙそれぞれに対する時機情報（図６などを用いて後述）に関連付けて算出し、算出した変化量を判定部１０６に対して出力する。
なお、帯電部材５６の外面上の位置ｘ、ｙは、例えば帯電部材５６の中心を挟んで対向するようにされて（帯電部材５６の半周分離れて）いる。
【００５４】
判定部１０６は、メモリ９６が記憶する傾きｍ１、ｍ２などの設定値を受け入れ、変化量算出部１０４が出力する変化量を受け入れて、傾きｍ１、ｍ２などの設定値に応じた判定を変化量に対して行う。
そして、振幅設定部９８は、判定部１０６の判定結果に応じて暫定的に振幅を設定するための振幅設定信号を振幅変更部１００に対して出力することにより、差分電荷量ΔＱの変化量が急変する変曲点を検出し、検出した変曲点に応じて交流電流Ｉａｃの適正な振幅を設定するための振幅設定信号を振幅変更部１００に対して出力するようにされている。
【００５５】
振幅変更部１００は、例えばＣＰＵ７４によって実行されるプログラムとして構成され、振幅設定部９８から入力される振幅設定信号に応じて、振幅変更信号を交流電源８６に対して出力し、交流電源８６が出力する交流電流Ｉａｃの振幅を調整する。
なお、振幅変更部１００は、振幅設定部９８から振幅設定信号が入力されていない場合（例えば電源オン時又は毎朝など）に、ＣＰＵ７４の制御により、所定の振幅の交流電流Ｉａｃを交流電源８６が出力するように、振幅変更信号を交流電源８６に対して出力するようにされている。
【００５６】
時機検出部１０２は、例えばロータリエンコーダ（図示せず）などを含み、ＣＰＵ７４の制御により、帯電部材５６の回転周期に対して帯電部材５６の外面上の位置ｘ、ｙが像保持体４４に接触する時機（タイミング）をそれぞれ検出し、検出した時機を示す情報（時機情報）を帯電情報検出部９４に対して出力する。
【００５７】
次に、適正な振幅の交流電流Ｉａｃで像保持体４４を帯電させるために、帯電制御装置８４が行う処理について説明する。
図５は、適正な振幅の交流電流Ｉａｃで像保持体４４を帯電させるために、帯電制御装置８４が行う処理（Ｓ１０）を示すフローチャートである。
図５に示すように、ステップ１００（Ｓ１００）において、ＣＰＵ７４は、振幅が異なる４つの交流電流Ｉａｃ（Ｉａｃ１〜４）の初期値を設定する。ここで、Ｉａｃ１〜４は、下式４の関係にある。
【００５８】
Ｉａｃ１＜Ｉａｃ３＜Ｉａｃ２＜Ｉａｃ４        ・・・（４）
【００５９】
ステップ１０２（Ｓ１０２）において、帯電情報検出部９４は、ＬＰＦ９０及びＡ／Ｄ変換器９２を介し、Ｉａｃ１〜４がそれぞれ流れた時機の差分電荷量ΔＱを帯電情報として検出し、メモリ９６に記憶させる。ここで、帯電情報検出部９４が差分電荷量ΔＱを検出する時機は、時機検出部１０２が検出した時機に応じてＣＰＵ７４がそれぞれ設定している。
例えば、帯電情報検出部９４は、帯電部材５６が２回転する間に順次に、帯電部材５６の位置ｘが像保持体４４に接触する時機にＩａｃ１に対する差分電荷量ΔＱを検出し、位置ｙが像保持体４４に接触する時機にＩａｃ２に対する差分電荷量ΔＱを検出し、位置ｘが像保持体４４に接触する時機にＩａｃ３に対する差分電荷量ΔＱを検出し、位置ｙが像保持体４４に接触する時機にＩａｃ４に対する差分電荷量ΔＱを検出して、差分電荷量ΔＱ、時機情報及び交流電流Ｉａｃの値を組にしたデータをメモリ９６に記憶させる。
【００６０】
ステップ１０４（Ｓ１０４）において、変化量算出部１０４は、メモリ９６が記憶する複数の差分電荷量ΔＱ、時機情報及び交流電流Ｉａｃの値を組にしたデータを受け入れ、交流電流Ｉａｃの変化に対する差分電荷量ΔＱの変化量（傾き）を、帯電部材５６の外面上の位置ｘ、ｙそれぞれに対する時機情報に関連付けて算出し、算出した変化量を判定部１０６に対して出力する。
例えば、変化量算出部１０４は、位置ｘにおいて交流電流ＩａｃがＩａｃ１からＩａｃ３に変化した場合の差分電荷量ΔＱの変化量（傾き１３）と、位置ｙにおいて交流電流ＩａｃがＩａｃ２からＩａｃ４に変化した場合の差分電荷量ΔＱの変化量（傾き２４）とを算出し、傾き１３及び傾き２４を判定部１０６に対して出力する。
【００６１】
ステップ１０６（Ｓ１０６）において、判定部１０６は、メモリ９６が記憶する傾きｍ１を受け入れ、変化量算出部１０４が出力する変化量（傾き１３、傾き２４）を受け入れて、｜傾き１３｜又は｜傾き２４｜が｜ｍ１｜よりも大きいか否かを判定し、いずれかが｜ｍ１｜よりも大きい場合にはＳ１１０の処理に進み、その他の場合にはＳ１０８の処理に進む。
【００６２】
ステップ１０８（Ｓ１０８）において、交流電源８６が出力する新たな交流電流Ｉａｃ１〜４の振幅がそれぞれ所定量増加するように、振幅設定部９８は、振幅設定信号を振幅変更部１００に対して出力し、Ｓ１０２の処理に進む。
【００６３】
ステップ１１０（Ｓ１１０）において、判定部１０６は、メモリ９６が記憶する傾きｍ２を受け入れ、変化量算出部１０４が出力する変化量（傾き１３、傾き２４）を受け入れて、｜傾き１３｜又は｜傾き２４｜が｜ｍ２｜よりも小さいか否かを判定し、いずれかが｜ｍ２｜よりも小さい場合にはＳ１１４の処理に進み、その他の場合にはＳ１１２の処理に進む。
【００６４】
ステップ１１２（Ｓ１１２）において、交流電源８６が出力する交流電流Ｉａｃ１〜４の振幅がそれぞれ所定量減少するように、振幅設定部９８は、振幅設定信号を振幅変更部１００に対して出力し、Ｓ１０２の処理に進む。
【００６５】
ステップ１１４（Ｓ１１４）において、判定部１０６は、メモリ９６が記憶する傾きｍ１、ｍ２を受け入れ、変化量算出部１０４が出力する変化量（傾き１３、傾き２４）を受け入れて、｜傾き１３｜又は｜傾き２４｜が｜ｍ１｜よりも大きく、且つ｜ｍ２｜よりも小さいか否かを判定し、いずれかが｜ｍ１｜よりも大きく、且つ｜ｍ２｜よりも小さい場合にはＳ１１６の処理に進み、その他の場合はＳ１０２の処理に進む。
【００６６】
ステップ１１６（Ｓ１１６）において、振幅設定部９８は、｜ｍ１｜よりも大きく、且つ｜ｍ２｜よりも小さい傾きに対応する交流電流Ｉａｃの平均値を算出し、算出したＩａｃの平均値をＩａｃの適正値として、適正なＩａｃを設定する振幅設定信号を振幅変更部１００に対して出力する。
【００６７】
なお、Ｓ１１６の処理において、算出したＩａｃの平均値に対し、例えばマージンとして１０％の値の増加をさせてＩａｃの適正値とするようにしてもよい。
【００６８】
図６は、帯電制御装置８４が図５に示した処理（Ｓ１０）を行った経過を示すグラフであって、（Ａ）は交流電流Ｉａｃの変化に対する差分電荷量ΔＱの変化量を示すグラフであり、（Ｂ）は帯電情報検出部９４が検出する差分電荷量ΔＱと、差分電荷量ΔＱを検出する時機とを示すグラフである（ＣＰＵ７４が設定する交流電流Ｉａｃの初期値が、変化量の変曲点に対応する交流電流Ｉａｃの値よりも小さい場合の経過例）。
なお、図６に示した傾きｍ１、ｍ２は、それぞれ｜Ｍ１｜＝｜ｍ１｜、｜Ｍ２｜＝｜ｍ２｜の関係になっている。
【００６９】
まず、ＣＰＵ７４は、図６（Ａ）に示すように、例えば振幅が異なる４つの交流電流Ｉａｃ１ａ〜４ａをＩａｃの初期値として設定する。ここで、Ｉａｃ１ａ〜４ａは、下式５の関係にある。
【００７０】
Ｉａｃ１ａ＜Ｉａｃ３ａ＜Ｉａｃ２ａ＜Ｉａｃ４ａ        ・・・（５）
【００７１】
帯電情報検出部９４は、図６（Ｂ）に示すように、帯電部材５６が２回転する間に順次に、帯電部材５６の位置ｘが像保持体４４に接触する時機にＩａｃ１ａに対する差分電荷量ΔＱ（１ａ）を検出し、位置ｙが像保持体４４に接触する時機にＩａｃ２ａに対する差分電荷量ΔＱ（２ａ）を検出し、位置ｘが像保持体４４に接触する時機にＩａｃ３ａに対する差分電荷量ΔＱ（３ａ）を検出し、位置ｙが像保持体４４に接触する時機にＩａｃ４ａに対する差分電荷量ΔＱ（４ａ）を検出する。なお、帯電情報検出部９４が検出する差分電荷量ΔＱには、図６（Ｂ）に示すように、帯電部材５６の回転周期に対応する周期ムラが含まれている。
【００７２】
変化量算出部１０４は、位置ｘにおいて交流電流ＩａｃがＩａｃ１ａからＩａｃ３ａに変化した場合の差分電荷量ΔＱの変化量（傾き１３ａ）と、位置ｙにおいて交流電流ＩａｃがＩａｃ２ａからＩａｃ４ａに変化した場合の差分電荷量ΔＱの変化量（傾き２４ａ）とを算出する。
【００７３】
判定部１０６は、メモリ９６が記憶する傾きｍ１を受け入れ、｜傾き１３ａ｜又は｜傾き２４ａ｜が｜ｍ１｜よりも大きいか否かを判定する。｜傾き１３ａ｜及び｜傾き２４ａ｜は、いずれも｜ｍ１｜以下であるため、交流電源８６が出力する新たな交流電流Ｉａｃ１ｂ〜４ｂの振幅がそれぞれ交流電流Ｉａｃ４ａよりも大きくなるように、振幅設定部９８は、振幅設定信号を振幅変更部１００に対して出力する。ここで、Ｉａｃ４ａ、Ｉａｃ１ｂ〜４ｂは、下式６の関係にある。
【００７４】
Ｉａｃ４ａ＜Ｉａｃ１ｂ＜Ｉａｃ３ｂ＜Ｉａｃ２ｂ＜Ｉａｃ４ｂ      ・・・（６）
【００７５】
帯電情報検出部９４は、図６（Ｂ）に示すように、帯電部材５６がさらに２回転する間に順次に、帯電部材５６の位置ｘが像保持体４４に接触する時機にＩａｃ１ｂに対する差分電荷量ΔＱ（１ｂ）を検出し、位置ｙが像保持体４４に接触する時機にＩａｃ２ｂに対する差分電荷量ΔＱ（２ｂ）を検出し、位置ｘが像保持体４４に接触する時機にＩａｃ３ｂに対する差分電荷量ΔＱ（３ｂ）を検出し、位置ｙが像保持体４４に接触する時機にＩａｃ４ｂに対する差分電荷量ΔＱ（４ｂ）を検出する。
【００７６】
変化量算出部１０４は、位置ｘにおいて交流電流ＩａｃがＩａｃ１ｂからＩａｃ３ｂに変化した場合の差分電荷量ΔＱの変化量（傾き１３ｂ）と、位置ｙにおいて交流電流ＩａｃがＩａｃ２ｂからＩａｃ４ｂに変化した場合の差分電荷量ΔＱの変化量（傾き２４ｂ）とを算出する。
【００７７】
判定部１０６は、メモリ９６が記憶する傾きｍ１を受け入れ、｜傾き１３ｂ｜又は｜傾き２４ｂ｜が｜ｍ１｜よりも大きいか否かを判定する。｜傾き１３ｂ｜及び｜傾き２４ｂ｜は、いずれも｜ｍ１｜より大きい。
【００７８】
そこで、判定部１０６は、さらにメモリ９６が記憶する傾きｍ２を受け入れ、｜傾き１３ｂ｜又は｜傾き２４ｂ｜が｜ｍ２｜よりも小さいか否かを判定する。｜傾き２４ｂ｜は、｜ｍ２｜以上になっているが、｜傾き１３ｂ｜は、｜ｍ１｜よりも大きく、且つ｜ｍ２｜よりも小さくなっている。
【００７９】
よって、振幅設定部９８は、傾き１３ｂに対応する交流電流Ｉａｃの平均値を算出し、算出したＩａｃの平均値をＩａｃの適正値として、適正なＩａｃを設定する振幅設定信号を振幅変更部１００に対して設定する。
【００８０】
図７は、帯電制御装置８４が図５に示した処理（Ｓ１０）を行った経過を示すグラフであって、（Ａ）は交流電流Ｉａｃの変化に対する差分電荷量ΔＱの変化量を示すグラフであり、（Ｂ）は帯電情報検出部９４が検出する差分電荷量ΔＱと、差分電荷量ΔＱを検出する時機とを示すグラフである（ＣＰＵ７４が設定する交流電流Ｉａｃの初期値が、変化量の変曲点に対応する交流電流Ｉａｃの値よりも大きい場合の経過例）。
なお、図７に示した傾きｍ１、ｍ２は、それぞれ｜Ｍ１｜＝｜ｍ１｜、｜Ｍ２｜＝｜ｍ２｜の関係になっている。
【００８１】
まず、ＣＰＵ７４は、図７（Ａ）に示すように、例えば振幅が異なる４つの交流電流Ｉａｃ１ａ〜４ａをＩａｃの初期値として設定する。ここで、Ｉａｃ１ａ〜４ａは、下式７の関係にある。
【００８２】
Ｉａｃ１ａ＜Ｉａｃ３ａ＜Ｉａｃ２ａ＜Ｉａｃ４ａ        ・・・（７）
【００８３】
帯電情報検出部９４は、図７（Ｂ）に示すように、帯電部材５６が２回転する間に順次に、帯電部材５６の位置ｘが像保持体４４に接触する時機にＩａｃ１ａに対する差分電荷量ΔＱ（１ａ）を検出し、位置ｙが像保持体４４に接触する時機にＩａｃ２ａに対する差分電荷量ΔＱ（２ａ）を検出し、位置ｘが像保持体４４に接触する時機にＩａｃ３ａに対する差分電荷量ΔＱ（３ａ）を検出し、位置ｙが像保持体４４に接触する時機にＩａｃ４ａに対する差分電荷量ΔＱ（４ａ）を検出する。なお、帯電情報検出部９４が検出する差分電荷量ΔＱには、図７（Ｂ）に示すように、帯電部材５６の回転周期に対応する周期ムラが含まれている。
【００８４】
変化量算出部１０４は、位置ｘにおいて交流電流ＩａｃがＩａｃ１ａからＩａｃ３ａに変化した場合の差分電荷量ΔＱの変化量（傾き１３ａ）と、位置ｙにおいて交流電流ＩａｃがＩａｃ２ａからＩａｃ４ａに変化した場合の差分電荷量ΔＱの変化量（傾き２４ａ）とを算出する。
【００８５】
判定部１０６は、メモリ９６が記憶する傾きｍ１を受け入れ、｜傾き１３ａ｜又は｜傾き２４ａ｜が｜ｍ１｜よりも大きいか否かを判定する。｜傾き１３ａ｜及び｜傾き２４ａ｜は、いずれも｜ｍ１｜以上である。
【００８６】
そこで、判定部１０６は、さらにメモリ９６が記憶する傾きｍ２を受け入れ、｜傾き１３ａ｜又は｜傾き２４ａ｜が｜ｍ２｜よりも小さいか否かを判定する。｜傾き１３ａ｜及び｜傾き２４ａ｜は、いずれも｜ｍ２｜以上であるため、交流電源８６が出力する新たな交流電流Ｉａｃ１ｂ〜４ｂの振幅がそれぞれ交流電流Ｉａｃ１ａよりも小さくなるように、振幅設定部９８は、振幅設定信号を振幅変更部１００に対して出力する。ここで、Ｉａｃ１ａ、Ｉａｃ１ｂ〜４ｂは、下式８の関係にある。
【００８７】
Ｉａｃ１ｂ＜Ｉａｃ３ｂ＜Ｉａｃ２ｂ＜Ｉａｃ４ｂ＜Ｉａｃ１ａ      ・・・（８）
【００８８】
帯電情報検出部９４は、図７（Ｂ）に示すように、帯電部材５６がさらに２回転する間に順次に、帯電部材５６の位置ｘが像保持体４４に接触する時機にＩａｃ１ｂに対する差分電荷量ΔＱ（１ｂ）を検出し、位置ｙが像保持体４４に接触する時機にＩａｃ２ｂに対する差分電荷量ΔＱ（２ｂ）を検出し、位置ｘが像保持体４４に接触する時機にＩａｃ３ｂに対する差分電荷量ΔＱ（３ｂ）を検出し、位置ｙが像保持体４４に接触する時機にＩａｃ４ｂに対する差分電荷量ΔＱ（４ｂ）を検出する。
【００８９】
変化量算出部１０４は、位置ｘにおいて交流電流ＩａｃがＩａｃ１ｂからＩａｃ３ｂに変化した場合の差分電荷量ΔＱの変化量（傾き１３ｂ）と、位置ｙにおいて交流電流ＩａｃがＩａｃ２ｂからＩａｃ４ｂに変化した場合の差分電荷量ΔＱの変化量（傾き２４ｂ）とを算出する。
【００９０】
判定部１０６は、メモリ９６が記憶する傾きｍ１を受け入れ、｜傾き１３ｂ｜又は｜傾き２４ｂ｜が｜ｍ１｜よりも大きいか否かを判定する。｜傾き１３ｂ｜は、｜ｍ１｜以下になっているが、｜傾き２４ｂ｜は、｜ｍ１｜よりも大きくなっている。
【００９１】
そこで、判定部１０６は、さらにメモリ９６が記憶する傾きｍ２を受け入れ、｜傾き１３ｂ｜又は｜傾き２４ｂ｜が｜ｍ２｜よりも小さいか否かを判定する。｜傾き２４ｂ｜は、｜ｍ１｜よりも大きく、且つ｜ｍ２｜よりも小さくなっている。
【００９２】
よって、振幅設定部９８は、傾き２４ｂに対応する交流電流Ｉａｃの平均値を算出し、算出したＩａｃの平均値をＩａｃの適正値として、適正なＩａｃを設定する振幅設定信号を振幅変更部１００に対して設定する。
【００９３】
次に、帯電制御装置８４の変形例（帯電制御装置１０８）について説明する。
図８において、帯電部材５６、高圧給電部８０、電流検出部８２及び帯電制御装置１０８の詳細が示されている。
なお、帯電制御装置１０８において、図３に示した帯電制御装置８４を構成する部分と実質的に同一のものには、同一の符号が付してある。
【００９４】
帯電制御装置１０８は、例えばＬＰＦ９０、Ａ／Ｄ変換器９２、帯電情報検出部９４、メモリ９６、振幅設定部１１０、振幅変更部１００及び時機検出部１０２を有し、制御ユニット６６の一部を構成する。
【００９５】
振幅設定部１１０は、例えばＣＰＵ７４によって実行されるプログラムとして構成され、補正部１１２、変化量算出部１１４及び判定部１１６を有し、メモリ９６にアクセスして、振幅変更部１００に対して振幅を設定する振幅設定信号を出力する。
【００９６】
補正部１１２は、帯電部材５６に対して基準交流電流Ｉａｃ０が供給された場合に、帯電部材５６の位置ｘ、ｙにおいて帯電情報検出部９４が検出する差分電荷量ΔＱをそれぞれ補正量０ｘ、０ｙとし、増減された交流電流Ｉａｃに対して帯電情報検出部９４が検出する差分電荷量ΔＱから、帯電部材５６の位置ｘ、ｙに対応させて補正量０ｘ、０ｙをそれぞれ差し引く。なお、基準交流電流Ｉａｃ０は、像保持体４４と帯電部材５６との間に放電を生じさせない振幅の交流電流にされている。つまり、補正部１１２は、帯電部材５６の位置ｘ、ｙにおいて生じる差分電荷量ΔＱのばらつきを補正する。
【００９７】
変化量算出部１１４は、帯電情報検出部９４が帯電部材５６の位置ｘ、ｙにおいて順次検出し、補正部１１２が補正した差分電荷量ΔＱの、交流電流Ｉａｃの変化に対する変化量（傾き）を算出し、算出した変化量を判定部１１６に対して出力する。
判定部１１６は、メモリ９６が記憶する傾きｍ１、ｍ２などの設定値を受け入れ、変化量算出部１１４が出力する変化量を受け入れて、傾きｍ１、ｍ２などの設定値に応じた判定を変化量に対して行う。
そして、振幅設定部１１０は、判定部１１６の判定結果に応じて暫定的に振幅を設定するための振幅設定信号を振幅変更部１００に対して出力することにより、差分電荷量ΔＱの変化量が急変する変曲点を検出し、検出した変曲点に応じて交流電流Ｉａｃの適正な振幅を設定するための振幅設定信号を振幅変更部１００に対して出力するようにされている。
【００９８】
次に、適正な振幅の交流電流Ｉａｃで像保持体４４を帯電させるために、帯電制御装置１０８が行う処理について説明する。
図９は、適正な振幅の交流電流Ｉａｃで像保持体４４を帯電させるために、帯電制御装置１０８が行う処理（Ｓ２０）を示すフローチャートである。
図９に示すように、ステップ２００（Ｓ２００）において、帯電情報検出部９４は、振幅変更部１００の設定による基準交流電流Ｉａｃ０における補正量０ｘ、０ｙを検出し、メモリ９６に対して出力する。
【００９９】
ステップ２０２（Ｓ２０２）において、帯電情報検出部９４は、振幅変更部１００が振幅を変更した交流電流Ｉａｃ１，２に対する差分電荷量ΔＱ（１ａ，２ａ）をそれぞれ検出し、メモリ９６に対して出力する。
【０１００】
ステップ２０４（Ｓ２０４）において、補正部１１２は、帯電情報検出部９４が連続して検出した交流電流Ｉａｃ１，２に対する差分電荷量ΔＱ（１ａ，２ａ）から補正量０ｘ、０ｙをそれぞれ差し引いくことにより、交流電流Ｉａｃ１，２に対する差分電荷量ΔＱを補正する。
【０１０１】
ステップ２０６（Ｓ２０６）において、変化量算出部１１４は、交流電流Ｉａｃの変化に対する差分電荷量ΔＱの変化量（傾き）を、補正された差分電荷量ΔＱに対して算出し、算出した変化量を判定部１１６に対して出力する。
例えば、変化量算出部１１４は、交流電流ＩａｃがＩａｃ１からＩａｃ２に変化した場合の差分電荷量ΔＱの変化量（傾き１２）を算出し、判定部１１６に対して出力する。
【０１０２】
ステップ２０８（Ｓ２０８）において、判定部１１６は、メモリ９６が記憶する傾きｍ１を受け入れ、変化量算出部１１４が出力する変化量（傾き１２）を受け入れて、｜傾き１２｜が｜ｍ１｜よりも大きいか否かを判定し、｜傾き１２｜が｜ｍ１｜よりも大きい場合にはＳ２１２の処理に進み、その他の場合にはＳ２１０の処理に進む。
【０１０３】
ステップ２１０（Ｓ２１０）において、交流電源８６が出力する新たな交流電流Ｉａｃ１，２の振幅がそれぞれ所定量増加するように、振幅設定部９８は、振幅設定信号を振幅変更部１００に対して出力し、Ｓ２０２の処理に進む。
【０１０４】
ステップ２１２（Ｓ２１２）において、判定部１１６は、メモリ９６が記憶する傾きｍ２を受け入れ、変化量算出部１１４が出力する変化量（傾き１２）を受け入れて、｜傾き１２｜が｜ｍ２｜よりも小さいか否かを判定し、｜傾き１２｜が｜ｍ２｜よりも小さい場合にはＳ２１６の処理に進み、その他の場合にはＳ２１４の処理に進む。
【０１０５】
ステップ２１４（Ｓ２１４）において、交流電源８６が出力する交流電流Ｉａｃ１，２の振幅がそれぞれ所定量減少するように、振幅設定部９８は、振幅設定信号を振幅変更部１００に対して出力し、Ｓ２０２の処理に進む。
【０１０６】
ステップ２１６（Ｓ２１６）において、振幅設定部１１０は、交流電流Ｉａｃ１，２の平均値を算出し、算出したＩａｃの平均値をＩａｃの適正値として、適正なＩａｃを設定する振幅設定信号を振幅変更部１００に対して出力する。
【０１０７】
図１０は、帯電制御装置１０８が図９に示した処理（Ｓ２０）を行った経過を示すグラフであって、（Ａ）は交流電流Ｉａｃの変化に対する差分電荷量ΔＱの変化量を示すグラフであり、（Ｂ）は帯電情報検出部１０８が検出する差分電荷量ΔＱと、差分電荷量ΔＱを検出する時機とを示すグラフである（ＣＰＵ７４が設定する交流電流Ｉａｃの初期値が、変化量の変曲点に対応する交流電流Ｉａｃの値よりも小さい場合の経過例）。
なお、図１０に示した傾きｍ１、ｍ２は、それぞれ｜Ｍ１｜＝｜ｍ１｜、｜Ｍ２｜＝｜ｍ２｜の関係になっている。
【０１０８】
まず、ＣＰＵ７４は、交流電流Ｉａｃの振幅を基準交流電流Ｉａｃ０に設定する。
帯電情報検出部９４は、図１０（Ａ）に示すように、帯電部材５６に対して基準交流電流Ｉａｃ０が供給された状態で、帯電部材５６の位置ｘ、ｙにおける差分電荷量ΔＱの補正量０ｘ、０ｙを検出し、メモリ９６に対して出力する。
【０１０９】
次に、帯電情報検出部９４は、振幅変更部１００が振幅を変更した交流電流Ｉａｃ１ａ，２ａに対する差分電荷量ΔＱ（１ａ，２ａ）をそれぞれ検出し、メモリ９６に対して出力する。
【０１１０】
補正部１１２は、帯電情報検出部９４が連続して検出した交流電流Ｉａｃ１ａ，２ａに対する差分電荷量ΔＱ（１ａ，２ａ）から補正量０ｘ、０ｙをそれぞれ差し引いくことにより、交流電流Ｉａｃ１ａ，２ａに対する補正された差分電荷量ΔＱ（１ａ−０ｘ，２ａ−０ｙ）を算出する。
つまり、図１０（Ａ）、（Ｂ）に示すように、帯電部材５６の位置ｘ、ｙにおいて同一の交流電流Ｉａｃに対する差分電荷量ΔＱにばらつきが生じていても（差分電荷量ΔＱの補正量０ｘ、０ｙが異なる値になっていても）、補正部１１２が差分電荷量ΔＱ（１ａ，２ａ）から補正量０ｘ、０ｙをそれぞれ差し引いくことにより、位置ｘ、ｙによるばらつきを排除することができる。
【０１１１】
変化量算出部１１４は、交流電流ＩａｃがＩａｃ１ａからＩａｃ２ａに変化した場合の差分電荷量ΔＱの変化量（傾き１２ａ）を算出し、判定部１１６に対して出力する。
【０１１２】
判定部１１６は、｜傾き１２ａ｜が｜ｍ１｜よりも大きいか否かを判定する。｜傾き１２ａ｜は、｜ｍ１｜以下であるため、交流電源８６が出力する新たな交流電流Ｉａｃ１ｂ，２ｂの振幅がそれぞれ交流電流Ｉａｃ２ａよりも大きくなるように、振幅設定部９８は、振幅設定信号を振幅変更部１００に対して出力する。ここで、Ｉａｃ２ａ、Ｉａｃ１ｂ、Ｉａｃ２ｂは、下式９の関係にある。
【０１１３】
Ｉａｃ２ａ＜Ｉａｃ１ｂ＜Ｉａｃ２ｂ      ・・・（９）
【０１１４】
次に、帯電情報検出部９４は、交流電流Ｉａｃ１ｂ，２ｂに対する差分電荷量ΔＱ（１ｂ，２ｂ）をそれぞれ検出し、メモリ９６に対して出力する。
【０１１５】
補正部１１２は、帯電情報検出部９４が連続して検出した交流電流Ｉａｃ１ｂ，２ｂに対する差分電荷量ΔＱ（１ｂ，２ｂ）から補正量０ｘ、０ｙをそれぞれ差し引いくことにより、交流電流Ｉａｃ１ｂ，２ｂに対する補正された差分電荷量ΔＱ（１ｂ−０ｘ，２ｂ−０ｙ）を算出する。
【０１１６】
変化量算出部１１４は、交流電流ＩａｃがＩａｃ１ｂからＩａｃ２ｂに変化した場合の差分電荷量ΔＱの変化量（傾き１２ｂ）を算出し、判定部１１６に対して出力する。
【０１１７】
判定部１１６は、｜傾き１２ｂ｜が｜ｍ１｜よりも大きいか否かを判定する。｜傾き１２ｂ｜は、｜ｍ１｜以下であるため、交流電源８６が出力する新たな交流電流Ｉａｃ１ｃ，２ｃの振幅がそれぞれ交流電流Ｉａｃ２ｂよりも大きくなるように、振幅設定部９８は、振幅設定信号を振幅変更部１００に対して出力する。ここで、Ｉａｃ２ｂ、Ｉａｃ１ｃ，２ｃは、下式１０の関係にある。
【０１１８】
Ｉａｃ２ｂ＜Ｉａｃ１ｃ＜Ｉａｃ２ｃ      ・・・（１０）
【０１１９】
次に、帯電情報検出部９４は、交流電流Ｉａｃ１ｃ，２ｃに対する差分電荷量ΔＱ（１ｃ，２ｃ）をそれぞれ検出し、メモリ９６に対して出力する。
【０１２０】
補正部１１２は、帯電情報検出部９４が連続して検出した交流電流Ｉａｃ１ｃ，２ｃに対する差分電荷量ΔＱ（１ｃ，２ｃ）から補正量０ｘ、０ｙをそれぞれ差し引いくことにより、交流電流Ｉａｃ１ｃ，２ｃに対する補正された差分電荷量ΔＱ（１ｃ−０ｘ，２ｃ−０ｙ）を算出する。
【０１２１】
変化量算出部１１４は、交流電流ＩａｃがＩａｃ１ｃからＩａｃ２ｃに変化した場合の差分電荷量ΔＱの変化量（傾き１２ｃ）を算出し、判定部１１６に対して出力する。
【０１２２】
判定部１１６は、｜傾き１２ｃ｜が｜ｍ１｜よりも大きいか否かを判定する。｜傾き１２ｃ｜が｜ｍ１｜よりも大きいので、判定部１１６は、｜傾き１２ｃ｜が｜ｍ２｜よりも小さいか否かを判定する。｜傾き１２ｃ｜が｜ｍ２｜よりも小さいので、振幅設定部１１０は、Ｉａｃ１ｃとＩａｃ２ｃとの平均値に応じて、Ｉａｃの適正値を設定する。
【０１２３】
図１１は、帯電制御装置１０８が図９に示した処理（Ｓ２０）を行った経過を示すグラフであって、（Ａ）は交流電流Ｉａｃの変化に対する差分電荷量ΔＱの変化量を示すグラフであり、（Ｂ）は帯電情報検出部１０８が検出する差分電荷量ΔＱと、差分電荷量ΔＱを検出する時機とを示すグラフである（ＣＰＵ７４が設定する交流電流Ｉａｃの初期値が、変化量の変曲点に対応する交流電流Ｉａｃの値よりも大きい場合の経過例）。
なお、図１１に示した傾きｍ１、ｍ２は、それぞれ｜Ｍ１｜＝｜ｍ１｜、｜Ｍ２｜＝｜ｍ２｜の関係になっている。
【０１２４】
まず、ＣＰＵ７４は、交流電流Ｉａｃの振幅を基準交流電流Ｉａｃ０に設定する。
帯電情報検出部９４は、図１１（Ａ）に示すように、帯電部材５６に対して基準交流電流Ｉａｃ０が供給された状態で、帯電部材５６の位置ｘ、ｙにおける差分電荷量ΔＱの補正量０ｘ、０ｙを検出し、メモリ９６に対して出力する。
【０１２５】
次に、帯電情報検出部９４は、振幅変更部１００が振幅を変更した交流電流Ｉａｃ１ａ，２ａに対する差分電荷量ΔＱ（１ａ，２ａ）をそれぞれ検出し、メモリ９６に対して出力する。
【０１２６】
補正部１１２は、帯電情報検出部９４が連続して検出した交流電流Ｉａｃ１ａ，２ａに対する差分電荷量ΔＱ（１ａ，２ａ）から補正量０ｘ、０ｙをそれぞれ差し引いくことにより、交流電流Ｉａｃ１ａ，２ａに対する補正された差分電荷量ΔＱ（１ａ−０ｘ，２ａ−０ｙ）を算出する。
つまり、図１１（Ａ）、（Ｂ）に示すように、帯電部材５６の位置ｘ、ｙにおいて同一の交流電流Ｉａｃに対する差分電荷量ΔＱにばらつきが生じていても（差分電荷量ΔＱの補正量０ｘ、０ｙが異なる値になっていても）、補正部１１２が差分電荷量ΔＱ（１ａ，２ａ）から補正量０ｘ、０ｙをそれぞれ差し引いくことにより、位置ｘ、ｙによるばらつきを排除することができる。
【０１２７】
変化量算出部１１４は、交流電流ＩａｃがＩａｃ１ａからＩａｃ２に変化した場合の差分電荷量ΔＱの変化量（傾き１２ａ）を算出し、判定部１１６に対して出力する。
【０１２８】
判定部１１６は、｜傾き１２ａ｜が｜ｍ１｜よりも大きいか否かを判定する。｜傾き１２ａ｜は、｜ｍ１｜以上であるため、判定部１１６は、｜傾き１２ａ｜が｜ｍ２｜よりも小さいか否かを判定する。｜傾き１２ａ｜は、｜ｍ２｜以上であるため、交流電源８６が出力する新たな交流電流Ｉａｃ１ｂ，２ｂの振幅がそれぞれ交流電流Ｉａｃ２ａよりも小さくなるように、振幅設定部９８は、振幅設定信号を振幅変更部１００に対して出力する。ここで、Ｉａｃ１ａ、Ｉａｃ１ｂ、Ｉａｃ２ｂは、下式１１の関係にある。
【０１２９】
Ｉａｃ１ａ＞Ｉａｃ２ｂ＞Ｉａｃ１ｂ      ・・・（１１）
【０１３０】
次に、帯電情報検出部９４は、交流電流Ｉａｃ１ｂ，２ｂに対する差分電荷量ΔＱ（１ｂ，２ｂ）をそれぞれ検出し、メモリ９６に対して出力する。
【０１３１】
補正部１１２は、帯電情報検出部９４が連続して検出した交流電流Ｉａｃ１ｂ，２ｂに対する差分電荷量ΔＱ（１ｂ，２ｂ）から補正量０ｘ、０ｙをそれぞれ差し引いくことにより、交流電流Ｉａｃ１ｂ，２ｂに対する補正された差分電荷量ΔＱ（１ｂ−０ｘ，２ｂ−０ｙ）を算出する。
【０１３２】
変化量算出部１１４は、交流電流ＩａｃがＩａｃ１ｂからＩａｃ２ｂに変化した場合の差分電荷量ΔＱの変化量（傾き１２ｂ）を算出し、判定部１１６に対して出力する。
【０１３３】
判定部１１６は、｜傾き１２ｂ｜が｜ｍ１｜よりも大きいか否かを判定する。｜傾き１２ｂ｜は、｜ｍ１｜以上であるため、判定部１１６は、｜傾き１２ｂ｜が｜ｍ２｜よりも小さいか否かを判定する。｜傾き１２ｂ｜は、｜ｍ２｜以上であるため、交流電源８６が出力する新たな交流電流Ｉａｃ１ｃ，２ｃの振幅がそれぞれ交流電流Ｉａｃ２ｂよりも小さくなるように、振幅設定部９８は、振幅設定信号を振幅変更部１００に対して出力する。ここで、Ｉａｃ１ｂ、Ｉａｃ１ｃ、Ｉａｃ２ｃは、下式１２の関係にある。
【０１３４】
Ｉａｃ１ｂ＞Ｉａｃ２ｃ＞Ｉａｃ１ｃ      ・・・（１２）
【０１３５】
次に、帯電情報検出部９４は、交流電流Ｉａｃ１ｃ，２ｃに対する差分電荷量ΔＱ（１ｃ，２ｃ）をそれぞれ検出し、メモリ９６に対して出力する。
【０１３６】
補正部１１２は、帯電情報検出部９４が連続して検出した交流電流Ｉａｃ１ｃ，２ｃに対する差分電荷量ΔＱ（１ｃ，２ｃ）から補正量０ｘ、０ｙをそれぞれ差し引いくことにより、交流電流Ｉａｃ１ｃ，２ｃに対する補正された差分電荷量ΔＱ（１ｃ−０ｘ，２ｃ−０ｙ）を算出する。
【０１３７】
変化量算出部１１４は、交流電流ＩａｃがＩａｃ１ｃからＩａｃ２ｃに変化した場合の差分電荷量ΔＱの変化量（傾き１２ｃ）を算出し、判定部１１６に対して出力する。
【０１３８】
判定部１１６は、｜傾き１２ｃ｜が｜ｍ１｜よりも大きいか否かを判定する。｜傾き１２ｃ｜が｜ｍ１｜よりも大きいので、判定部１１６は、｜傾き１２ｃ｜が｜ｍ２｜よりも小さいか否かを判定する。｜傾き１２ｃ｜が｜ｍ２｜よりも小さいので、振幅設定部１１０は、Ｉａｃ１ｃとＩａｃ２ｃとの平均値に応じて、Ｉａｃの適正値を設定する。
【０１３９】
なお、上記実施形態においては、帯電部材５６の帯電量に対応する帯電情報を差分電荷量ΔＱとする場合を例に説明したが、これに限定されることなく、帯電情報は、帯電部材５６に流れる電流の直流成分、交流成分、又は、像保持体４４と帯電部材５６との間で流れる放電電流に基づく情報を帯電情報として検出するようにされてもよい。また、図示しない表面電位計を用いて像保持体４４の表面電位を計測し、像保持体４４の表面電位を帯電情報とするようにされてもよい。
【０１４０】
また、１つの像保持体４４を帯電させる１つの帯電部材５６を有する画像形成装置１０について説明したが、これに限定されることなく、例えば４つの像保持体を有するカラー画像形成装置において、像保持体をそれぞれ帯電させる４つの帯電装置に対し、交流電流Ｉａｃの大きさを制御するようにされてもよい。
【０１４１】
制御ユニット６６が実行するプログラムは、通信手段により提供されてもよいし、ＣＤ−ＲＯＭ等の記憶媒体に格納して提供されてもよい。
【図面の簡単な説明】
【０１４２】
【図１】本発明の実施形態に係る画像形成装置の概要を示す側面図である。
【図２】本発明の実施形態に係る画像形成装置の概要を示す構成図である。
【図３】帯電部材、高圧給電部、電流検出部及び帯電制御装置の詳細を示すブロック図である。
【図４】交流電流ＩａｃとＬＰＦの出力とを比較するグラフであって、（Ａ）は交流電流Ｉａｃに放電電流が付加された状態を示すグラフであり、（Ｂ）は放電が生じた場合に歪んたＬＰＦの出力を示すグラフである。
【図５】適正な振幅の交流電流Ｉａｃで像保持体を帯電させるために、帯電制御装置が行う処理（Ｓ１０）を示すフローチャートである。
【図６】帯電制御装置が図５に示した処理（Ｓ１０）を行った経過を示すグラフであって、（Ａ）は交流電流Ｉａｃの変化に対する差分電荷量ΔＱの変化量を示すグラフであり、（Ｂ）は帯電情報検出部が検出する差分電荷量ΔＱと、差分電荷量ΔＱを検出する時機とを示すグラフである（交流電流Ｉａｃの初期値が変化量の変曲点に対応する交流電流Ｉａｃの値よりも小さい場合）。
【図７】帯電制御装置が図５に示した処理（Ｓ１０）を行った経過を示すグラフであって、（Ａ）は交流電流Ｉａｃの変化に対する差分電荷量ΔＱの変化量を示すグラフであり、（Ｂ）は帯電情報検出部が検出する差分電荷量ΔＱと、差分電荷量ΔＱを検出する時機とを示すグラフである（交流電流Ｉａｃの初期値が変化量の変曲点に対応する交流電流Ｉａｃの値よりも大きい場合）。
【図８】帯電部材、高圧給電部、電流検出部及び帯電制御装置の変形例の詳細を示すブロック図である。
【図９】適正な振幅の交流電流Ｉａｃで像保持体を帯電させるために、帯電制御装置の変形例が行う処理（Ｓ２０）を示すフローチャートである。
【図１０】帯電制御装置の変形例が図９に示した処理（Ｓ２０）を行った経過を示すグラフであって、（Ａ）は交流電流Ｉａｃの変化に対する差分電荷量ΔＱの変化量を示すグラフであり、（Ｂ）は帯電情報検出部の変形例が検出する差分電荷量ΔＱと、差分電荷量ΔＱを検出する時機とを示すグラフである（交流電流Ｉａｃの初期値が変化量の変曲点に対応する交流電流Ｉａｃの値よりも小さい場合）。
【図１１】帯電制御装置の変形例が図９に示した処理（Ｓ２０）を行った経過を示すグラフであって、（Ａ）は交流電流Ｉａｃの変化に対する差分電荷量ΔＱの変化量を示すグラフであり、（Ｂ）は帯電情報検出部の変形例が検出する差分電荷量ΔＱと、差分電荷量ΔＱを検出する時機とを示すグラフである（交流電流Ｉａｃの初期値が変化量の変曲点に対応する交流電流Ｉａｃの値よりも大きい場合）。
【符号の説明】
【０１４３】
１０    画像形成装置
４４    像保持体
５６    帯電部材
６６    制御ユニット
７４    ＣＰＵ
７６    メモリ
８０    高圧給電部
８２    電流検出部
８４，１０８    帯電制御装置
８６    交流電源
８８    直流電源
９０    ＬＰＦ
９２    Ａ／Ｄ変換器
９４    帯電情報検出部
９６    メモリ（ＮＶＭ）
９８    振幅設定部
１００，１１０    振幅変更部
１０２    時機検出部
１０４，１１４    変化量算出部
１０６，１１６    判定部
１１２    補正部
【図１】
2008139546.tif 000003
【図２】
2008139546.tif 000004
【図３】
2008139546.tif 000005
【図４】
2008139546.tif 000006
【図５】
2008139546.tif 000007
【図６】
2008139546.tif 000008
【図７】
2008139546.tif 000009
【図８】
2008139546.tif 000010
【図９】
2008139546.tif 000011
【図１０】
2008139546.tif 000012
【図１１】
2008139546.tif 000013